(57)【要約】  本発明はチューナーに使われるケーブル連結用ジャックに関するものであって、印刷回路基板の一側面に取り付けられる第１ジャックと、上記第１ジャックに挿入される第２ジャックとを含み、上記第１ジャックは、第１ケースと、上記第１ケースの中央に配置される端子ピンとを含み、上記第２ピンは、上記第１ケースの内部に挿入される第２ケースと、上記第２ケースの内部に配置されて上記端子ピンが挿入される接続部材とを含むことを特徴とする。【選択図】図５
2013525998.tif 000002
【特許請求の範囲】
【請求項１】
印刷回路基板の一側面に取り付けられる第１ジャックと、前記第１ジャックに挿入される第２ジャックとを含み、前記第１ジャックは、第１ケースと、前記第１ケースの中央に配置される端子ピンとを含み、前記第２ピンは、前記第１ケースの内部に挿入される第２ケースと、前記第２ケースの内部に配置されて前記端子ピンが挿入される接続部材とを含むことを特徴とする、チューナー用ジャック。
【請求項２】
前記第１ジャックは、
第１ケースと、
前記第１ケースの中央を通過するように配置されて信号を伝達する端子ピンと、
前記第１ケースの内周面に配置されて前記端子ピンを第１ケースに固定させる第１固定部材と、
前記第１ケースの内周面に配置されて第２ジャックが挿入される時、第２ジャックを弾性支持する弾性部材と、
を含むことを特徴とする、請求項１に記載のチューナー用ジャック。
【請求項３】
前記端子ピンは、その一側は第１ケースの内部に配置されて接続部材が挿入される第１部分と、前記第２ケースから突出してケーブルまたは印刷回路基板に取り付けられる第２部分とで構成され、前記第１部分と第２部分とは同一な直径で形成されることを特徴とする、請求項２に記載のチューナー用ジャック。
【請求項４】
前記第１固定部材は絶縁体で形成され、その中央側に前記端子ピンが通過し、前記第１固定部材を通過する端子ピンの外周面には第１固定部材に係止されるように係止突起が形成されることを特徴とする、請求項２に記載のチューナー用ジャック。
【請求項５】
前記第２ジャックは、前記第１ケースに挿入できる外径を有する第２ケースと、
前記第２ケースの内部に配置されて第１ジャックの端子ピンが挿入される接続部材と、
前記接続部材に連結され、第２ケースの外部に突出する連結端子と、
前記接続部材と第２ケースとの間に配置される第２固定部材と、
を含むことを特徴とする、請求項２に記載のチューナー用ジャック。
【請求項６】
前記接続部材は円筒形態であり、その端部には端子ピンを弾性支持する弾性支持部が形成されることを特徴とする、請求項５に記載のチューナー用ジャック。
【発明の詳細な説明】
【技術分野】
【０００１】
本発明は、チューナーに使われるケーブル連結用ジャック（jack）に関するものである。
【背景技術】
【０００２】
現在、ＴＶなどの電子機器はＬＣＤ、ＬＥＤ、及びＰＤＰなど、その厚さが徐々に薄くなる趨勢であり、これによって電子機器に設置される各種部品が小型化している趨勢である。
【０００３】
従来の技術に従うチューナー１００は、図１及び図２に示すように、メイン印刷回路基板に固定される印刷回路基板１１０、及びこの印刷回路基板１１０の一側に結合されてＲＦ信号を伝達するコネクタ１２０を含む。
【０００４】
このようなチューナー１００も電子機器の厚さが徐々に薄くなる趨勢に従って印刷回路基板１１０の厚さ（Ｔ１）が薄く形成される。しかしながら、コネクタ１２０の外径（Ｔ２）はそのままであるので、印刷回路基板１１０の厚さ（Ｔ１）よりコネクタ１２０の外径（Ｔ２）がより大きいので、チューナー１００の全体厚さが大きくなる問題点がある。
【０００５】
即ち、印刷回路基板の厚さ（Ｔ１）は約７．０ｍｍである反面、コネクタ１２０の外径（Ｔ２）は約１１．３ｍｍであるので、チューナー１００の厚さはコネクタ１２０の外径（Ｔ２）により決定されてチューナーの厚さが厚くなる。
【発明の概要】
【発明が解決しようとする課題】
【０００６】
本発明は、ジャックの外径を最小化してチューナーの厚さを最小化できるので、ＴＶなどの電子機器の厚さを縮めることができるチューナー用ジャックを提供することをその目的とする。
【０００７】
本発明が達成しようとする技術的課題は、前述した技術的課題に制限されず、言及されない更に他の技術的課題は以下の記載から本発明が属する技術分野で通常の知識を有する者に明確に理解されることができる。
【課題を解決するための手段】
【０００８】
一実施形態として、チューナー用ジャックは印刷回路基板の一側面に取り付けられる第１ジャックと、上記第１ジャックに挿入される第２ジャックとを含み、上記第１ジャックは、第１ケースと、上記第１ケースの中央に配置される端子ピンを具備し、上記第２ピンは、上記第１ケースの内部に挿入される第２ケースと、上記第２ケースの内部に配置されて上記端子ピンが挿入される接続部材とを具備する。
【０００９】
上記第１ジャックは、第１ケースと、上記第１ケースの中央を通過するように配置されて信号を伝達する端子ピンと、上記第１ケースの内周面に配置されて上記端子ピンを第１ケースに固定させる第１固定部材と、上記第１ケースの内周面に配置されて第２ジャックが挿入される時、第２ジャックを弾性支持する弾性部材とを含むことができる。
【００１０】
上記第２ジャックは、上記第１ケースに挿入できる外径を有する第２ケースと、上記第２ケースの内部に配置されて第１ジャックの端子ピンが挿入される接続部材と、上記接続部材に連結され、第２ケースの外部に突出する連結端子と、上記接続部材と第２ケースとの間に配置される第２固定部材とを含むことができる。
【発明の効果】
【００１１】
本発明のチューナー用ジャックは、第１ジャックと、この第１ジャックに挿入される第２ジャックとで構成され、第１ジャックには端子ピンを具備し、第２ジャックには端子ピンが挿入される接続部材を具備するように構成されてジャックの外径を最小化し、これによってチューナーの厚さを最小化することができる。
【図面の簡単な説明】
【００１２】
【図１】従来の技術に従うチューナーの平面図である。
【図２】従来の技術に従うチューナーの一側及び他側から見た側面図である。
【図３】本発明の一実施形態に従うチューナーの平面図である。
【図４】本発明の一実施形態に従うチューナーの一側及び他側から見た側面図である。
【図５】本発明の一実施形態に従う第１ジャックの断面図である。
【図６】本発明の一実施形態に従う第２ジャックの断面図である。
【発明を実施するための形態】
【００１３】
以下、添付した図面を参照して本発明に従う実施形態を詳細に説明する。この過程で、図面に図示された構成要素のサイズや形状などは、説明の明瞭性及び便宜上、誇張して図示することがある。また、本発明の構成及び作用を考慮して特別に定義された用語は、ユーザ、運用者の意図または慣例によって変わることができる。
【００１４】
このような用語に対しては、本明細書の全般に亘る内容に基づいて定義されなければならない。
【００１５】
図３は本発明の一実施形態に従うチューナーの平面図であり、図４は本発明の一実施形態に従うチューナーの一側及び他側から見た側面図である。
【００１６】
本発明の一実施形態に従うチューナー１０は、ＴＶなどの電子機器メイン印刷回路基板に取り付けられる印刷回路基板２０、及びこの印刷回路基板２０の一側に設置されてＲＦ信号を伝達するジャック３０、５０を含む。
【００１７】
ジャック３０、５０は、印刷回路基板２０の一側面が突出するように設置される第１ジャック３０、及びこの第１ジャック３０と一定間隔をおいて設置され、第１ジャック３０と互いに異なる信号を伝達する第２ジャック５０を含む。
【００１８】
第１ジャック３０は、その外径（Ｔ５）が約６．０ｍｍ程度に形成されて印刷回路基板２０の厚さ（Ｔ４）約７．ｍｍより小さく形成される。そして、第２ジャック５０は、その外径（Ｔ６）が約４．４ｍｍ程度に形成されて印刷回路基板２０の厚さ（Ｔ４）より小さく形成される。したがって、チューナー１０の全体厚さは印刷回路基板２０の厚さ（Ｔ４）により決定され、チューナー１０の厚さを最小化することができる。
【００１９】
第１ジャック３０は、図５に示すように、円筒形態に形成される第１ケース３２、この第１ケース３２の中央を通過するように配置されて信号を伝達する端子ピン３４、この端子ピン３４の外周面とケース３２の内周面に配置される第１固定部材３６、及び第１ケース３２の内周面に配置されて第２ジャック５０が挿入される時、第１ジャック５０を弾性支持する弾性部材４０を含む。
【００２０】
第１ケース３２は円筒形態であり、その内面に第１ジャック５０が挿入される挿入部３２ａと、この挿入部３２ａの直径に比べて小さな直径に形成されて印刷回路基板２０側に固定される固定部３２ｂと、上記挿入部３２ａと固定部３２ｂとの間に位置して固定部材３６が圧入される固定部材取付部３２ｃとで構成される。
【００２１】
端子ピン３４は、その一側は挿入部３２ａの中央側に配置されて第２ジャック５０と接続される第１部分３４ａと、固定部３２ｂの外部に引出されるように配置されて印刷回路基板またはケーブルに連結される第２部分３４ｂとで構成され、第１部分３４ａと第２部分３４ｂとはその直径が同一に形成される。
【００２２】
そして、端子ピン３４の上記第１固定部材３６が包まれる中央側には第１固定部材３６から離脱することを防止するように係止突起４２が突出するように形成される。
【００２３】
第１固定部材３６は絶縁体で形成され、より詳しくはモールド物として樹脂材質で形成できる。このような第１固定部材３６は、端子ピン３４と第１ケース３２との間を絶縁させ、端子ピン３４を第２ケース３２に固定させる役割をする。
【００２４】
第１ケース３２の外周面には固定部材３６を固定させるためのかしめ部３８が形成される。
【００２５】
弾性部材４０は、金属材質の板スプリングで形成されて第２ジャック５０の外周面を弾性支持して第２ジャック５０が第１ジャック３０に挿入された状態を維持できるようにする。
【００２６】
第２ジャック５０は、図６に示すように、第１ジャック３０の挿入部３２ａに挿入できる外径を有する第２ケース５２、この第２ケース５２の内部に配置されて第１ジャック３０の端子ピン３４が挿入される接続部材５６、接続部材５６に連結されて第２ケース５２の外部に突出して印刷回路基板またはケーブルに取り付けられる連結端子６０、及び接続部材５６と第２ケース５２との間に配置される第２固定部材５４を含む。
【００２７】
第２ケース５２の外周面にはかしめ部６２が形成されて第２固定部材５４を第２ケース５２に挿入した後、かしめ作業を行って第２ケース５２に第２固定部材５４が固定できるようにする。
【００２８】
接続部材５６は、端子ピン３４が挿入できる円筒形態に形成され、その端部には端子ピン３４が挿入された状態を維持するように端子ピン３４の外周面を弾性支持する弾性支持部５８が形成される。
【００２９】
このように構成される本発明の一実施形態に従うチューナー用ジャックの作用を、次に説明する。
【００３０】
チューナー１０の印刷回路基板２０に第１ジャック３０が取り付けられた場合、外部のケーブルの端部には第２ジャック５０が取り付けられる。したがって、第１ジャック３０に第２ジャック５０を挿入すれば、第１ジャック３０の内面に第２ジャック５０の第２ケース５２が挿入される。そして、第２ジャック５０の接続部材５６に第１ジャック３０の端子ピン３４が挿入されて相互連結される。
【００３１】
この際、第１ジャック３０の内面に取り付けられた弾性部材４０が第２ケース５２を弾性支持して第２ケース５２の離脱を防止する。そして、接続部材５６の端部に形成された弾性支持部５８が端子ピン３４を弾性支持して端子ピン３４が接続部材５６から抜けることを防止する。
【００３２】
そして、これとは反対に、チューナー１０の印刷回路基板２０に第２ジャック５０が取り付けられる場合、外部のケーブルなどには第１ジャック３０が設置される。
【００３３】
以上、本発明に従う実施形態が説明されたが、これは例示に過ぎないものであり、当該分野で通常の知識を有する者であれば、これから多様な変形及び均等な範囲の実施形態が可能であるという点を理解することができる。したがって、本発明の真の技術的保護範囲は次の特許請求範囲によって定まるべきである。
【図１】
2013525998.tif 000003
【図２】
2013525998.tif 000004
【図３】
2013525998.tif 000005
【図４】
2013525998.tif 000006
【図５】
2013525998.tif 000007
【図６】
2013525998.tif 000008
【国際調査報告】
2013525998.tif 000009
2013525998.tif 000010
2013525998.tif 000011
2013525998.tif 000012